(57)【要約】【課題】  モータ機構を増やさず、かつ、大型のカム機構を搭載しなくても、焦点調整機能およびズーム機能の双方を搭載可能なレンズ駆動装置１を提供すること。【解決手段】  レンズ駆動装置１では、駆動機構５によってレンズ保持体１０を光軸Ｌ方向に移動させ、合焦動作を行う。また、ズーム動作を行う際には、レンズ保持体１０を焦点調整範囲を超えて光軸Ｌ方向に移動させると、第１のストッパ８１あるいは第２のストッパ８２で第２のレンズ体１２がレンズ保持体１０上で移動して、望遠位置あるいは広角位置に移動する。そして、レンズ位置保持用マグネット８５と、望遠位置保持用磁性体８６あるいは広角位置保持用磁性体８７との磁気的吸引力でレンズ位置が保持される。【選択図】  図２
2006195179.tif 000002
【特許請求の範囲】
【請求項１】
第１のレンズ体および第２のレンズ体を光軸方向に所定の間隔を隔てて保持するレンズ保持体と、該レンズ保持体が光軸方向に沿って移動可能に塔載された固定体と、前記レンズ保持体を光軸方向に沿って直線移動させる駆動手段を備えた焦点位置調整機構とを有するレンズ駆動装置において、
前記第２のレンズ体は、前記第１のレンズ体に対して光軸方向に相対移動可能な状態で前記レンズ保持体に保持されているとともに、前記第２のレンズ体に対しては、当該第２のレンズ体を前記第１のレンズ体に対して光軸方向に相対移動させるズーム機構が構成され、
当該ズーム機構は、前記駆動手段によって前記レンズ保持体が焦点調整範囲を超えて光軸方向の一方側に直線移動してきたとき、前記第２のレンズ体を前記レンズ保持体上で光軸方向の他方側に移動させて前記第１のレンズ体から離間した望遠位置に移動させる第１の送り機構と、前記駆動手段によって前記レンズ保持体が焦点調整範囲を超えて光軸方向の他方側に直線移動してきたとき、前記第２のレンズ体を前記レンズ保持体上で光軸方向の一方側に移動させて前記第１のレンズ体に近接した広角位置に移動させる第２の送り機構とを備えていることを特徴とするレンズ駆動装置。
【請求項２】
請求項１において、前記第１の送り機構は、前記駆動手段によって前記レンズ保持体が焦点調整範囲を超えて光軸方向の一方側に直線移動してきたとき、前記第２のレンズ体に当接して当該第２のレンズ体を前記望遠位置に向けて送り出す第１のストッパであり、
前記第２の送り機構は、前記駆動手段によって前記レンズ保持体が焦点調整範囲を超えて光軸方向の他方側に直線移動してきたとき、前記第２のレンズ体に当接して当該第２のレンズ体を前記広角位置に向けて送り出す第２のストッパであることを特徴とするレンズ駆動装置。
【請求項３】
請求項１または２において、光軸方向における他方側で前記第２のレンズ体を前記望遠位置に保持するとともに、光軸方向における一方側で前記第２のレンズ体を前記広角位置に保持するレンズ位置保持機構を備えていることを特徴とするレンズ駆動装置。
【請求項４】
請求項３において、前記レンズ位置保持機構は、前記第２のレンズ体側に保持されたレンズ位置保持用マグネットと、前記レンズ保持体の光軸方向における他方側で前記レンズ位置規定用マグネットとの間で磁気的吸引力を発生させて前記第２のレンズ体を前記望遠位置に保持する望遠位置保持用磁性体と、前記レンズ保持体の光軸方向における一方側で前記レンズ位置固定用マグネットとの間で磁気的吸引力を発生させて前記第２のレンズ体を前記広角位置に保持する広角位置保持用磁性体とを備えていることを特徴とするレンズ駆動装置。
【請求項５】
請求項１ないし４のいずれかにおいて、前記駆動手段は、前記レンズ保持体の外周側で回転駆動される回転部材と、該回転部材の外周面に保持されたロータマグネットと、前記固定体側に配置されたステータと、前記回転部材の回転を前記レンズ保持体の光軸方向における直線運動に変換する変換機構とを備えていることを特徴とするレンズ駆動装置。
【発明の詳細な説明】
【技術分野】
【０００１】
本発明は、デジタルカメラなどに用いられるレンズ駆動装置に関するものである。
【背景技術】
【０００２】
カメラ付き携帯電話機やデジタルカメラなどに搭載される薄型カメラは、撮影時における焦点調整動作を行う際のレンズ移動距離が通常のカメラに比較して短いので、レンズを直接、磁気駆動するレンズ駆動装置が用いられている。
【０００３】
このような磁気駆動タイプのレンズ駆動装置としては、例えば、レンズを保持するレンズホルダと、このレンズホルダの外周に取り付けられたリング状のマグネットと、マグネットに対向する駆動コイルとを有し、駆動コイルへの通電を制御することにより、レンズを光軸方向に直動させるものが案出されている（例えば、特許文献１参照）。
【特許文献１】特開平１０−１５０７５９号公報
【発明の開示】
【発明が解決しようとする課題】
【０００４】
しかしながら、この種のレンズ駆動装置においては、焦点調整機能に加えて、ズーム機能を有するものが求められているが、ズーム機能を追加するためにモータ機構を追加するとレンズ駆動装置が大型化してしまい、デジルタルカメラ付き携帯電話機やデジタルカメラなどに搭載できなくなってしまうという問題点がある。かといって、共通のモータ機構によって、共通のカム軸を回転させ、その回転を各カム機構を介して伝達してレンズの焦点調整動作およびズーム動作を行うと、モータ機構が１つで済むが、カム機構等が複雑で大型化してしまう。その結果、組立に多大な手間がかかり、かつ、デジルタルカメラ付き携帯電話機やデジタルカメラなどに搭載するにはサイズおよび重量面で好ましくないという問題点がある。
【０００５】
以上の問題点に鑑みて、本発明の課題は、モータ機構を増やさず、かつ、大型のカム機構等を搭載しなくても、焦点調整機能およびズーム機能の双方を搭載可能なレンズ駆動装置を提供することにある。
【課題を解決するための手段】
【０００６】
上記課題を解決するために、本発明では、第１のレンズ体および第２のレンズ体を光軸方向に所定の間隔を隔てて保持するレンズ保持体と、該レンズ保持体が光軸方向に沿って移動可能に塔載された固定体と、前記レンズ保持体を光軸方向に沿って直線移動させる駆動手段を備えた焦点位置調整機構とを有するレンズ駆動装置において、前記第２のレンズ体は、前記第１のレンズ体に対して光軸方向に相対移動可能な状態で前記レンズ保持体に保持されているとともに、前記第２のレンズ体に対しては、当該第２のレンズ体を前記第１のレンズ体に対して光軸方向に相対移動させるズーム機構が構成され、当該ズーム機構は、前記駆動手段によって前記レンズ保持体が焦点調整範囲を超えて光軸方向の一方側に直線移動してきたとき、前記第２のレンズ体を前記レンズ保持体上で光軸方向の他方側に移動させて前記第１のレンズ体から離間した望遠位置に移動させる第１の送り機構と、前記駆動手段によって前記レンズ保持体が焦点調整範囲を超えて光軸方向の他方側に直線移動してきたとき、前記第２のレンズ体を前記レンズ保持体上で光軸方向の一方側に移動させて前記第１のレンズ体に近接した広角位置に移動させる第２の送り機構とを備えていることを特徴とする。
【０００７】
本発明では、レンズ保持体が焦点調整範囲を超えて光軸方向の一方側に直線移動してきたとき、第２のレンズ体は、第１の送り機構によってレンズ保持体上で光軸方向の他方側に移動して望遠位置に移動し、レンズ保持体が焦点調整範囲を超えて光軸方向の他方側に直線移動してきたとき、第２のレンズ体は、第２の送り機構によってレンズ保持体上で光軸方向の一方側に移動して広角位置に移動する。従って、焦点調整動作と同様な動作をそのまま利用してズーム動作を行うことができるため、モータ機構を増やさず、かつ、大型のカム機構等を搭載しなくても、焦点調整機能およびズーム機能の双方を行うことができる。それ故、焦点調整機能およびズーム機能を有するレンズ駆動装置の小型化、軽量化、低コスト化、省電力化などを図ることができる。また、焦点調整動作およびズーム動作のいずれを行う際もレンズが回転しないので、画像の揺れや歪みなどが発生しないので、撮像した画像の品質が高い。
【０００８】
本発明において、前記第１の送り機構は、前記駆動手段によって前記レンズ保持体が焦点調整範囲を超えて光軸方向の一方側に直線移動してきたとき、前記第２のレンズ体に当接して当該第２のレンズ体を前記望遠位置に向けて送り出す第１のストッパによって構成し、前記第２の送り機構は、前記駆動手段によって前記レンズ保持体が焦点調整範囲を超えて光軸方向の他方側に直線移動してきたとき、前記第２のレンズ体に当接して当該第２のレンズ体を前記広角位置に向けて送り出す第２のストッパによって構成することが好ましい。このように構成すると、ズーム機構の構成を簡素化できる。
【０００９】
本発明において、光軸方向における他方側で前記第２のレンズ体を前記望遠位置に保持するとともに、光軸方向における一方側で前記第２のレンズ体を前記広角位置に保持するレンズ位置保持機構を備えていることが好ましい。
【００１０】
本発明において、前記レンズ位置保持機構は、前記第２のレンズ体側に保持されたレンズ位置保持用マグネットと、前記レンズ保持体の光軸方向における他方側で前記レンズ位置規定用マグネットとの間で磁気的吸引力を発生させて前記第２のレンズ体を前記望遠位置に保持する望遠位置保持用磁性体と、前記レンズ保持体の光軸方向における一方側で前記レンズ位置固定用マグネットとの間で磁気的吸引力を発生させて前記第２のレンズ体を前記広角位置に保持する広角位置保持用磁性体とを備えていることが好ましい。このような構成によれば、レンズ駆動装置の小型化、軽量化、低コスト化などを妨げることなく、レンズの位置保持を行うことができる。
【００１１】
本発明において、前記駆動手段は、前記レンズ保持体の外周側で回転駆動される回転部材と、該回転部材の外周面に保持されたロータマグネットと、前記固定体側に配置されたステータと、前記回転部材の回転を前記レンズ保持体の光軸方向における直線運動に変換する変換機構とを備えていることが好ましい。
【発明の効果】
【００１２】
本発明に係るレンズ駆動装置では、レンズ保持体が焦点調整範囲を超えて光軸方向の一方側に直線移動してきたとき、かかる直線移動を利用して第２のレンズ体を望遠位置に移動させ、レンズ保持体が焦点調整範囲を超えて光軸方向の他方側に直線移動してきたとき、かかる直線移動を利用して、第２のレンズ体を広角位置に移動させる。従って、焦点調整動作と同様な動作をそのまま利用してズーム動作を行うことができるため、モータ機構を増やさず、かつ、大型のカム機構を搭載しなくても、焦点調整機能およびズーム機能の双方を行うことができる。それ故、焦点調整機能およびズーム機能を有するレンズ駆動装置の小型化、軽量化、低コスト化、省電力化などを図ることができる。また、焦点調整動作およびズーム動作のいずれを行う際もレンズが回転しないので、画像の揺れや歪みなどが発生しないので、撮像した画像の品質が高い。
【発明を実施するための最良の形態】
【００１３】
以下に、図面を参照して、本発明を適用したレンズ駆動装置を説明する。
【００１４】
（全体構成、および焦点位置調整機構の構成）
図１（ａ）、（ｂ）はそれぞれ、本発明を適用したレンズ駆動装置において、レンズ保持体上でレンズが広角位置にある状態でレンズ保持体を無限遠位置（被写体側／物体側）に移動させた状態の半断面図、およびレンズ保持体上でレンズが広角位置にある状態でレンズ保持体を至近距離位置（撮像素子側／像側）に移動させた状態の半断面図である。なお、本発明を適用したレンズ駆動装置は、その要部が光軸を中心に左右対称な構造を備えている。
【００１５】
図１（ａ）に示す本形態のレンズ駆動装置１は、カメラ付き携帯電話などに搭載されている薄型カメラにおいて、第１のレンズ体１１および第２のレンズ体１２を光軸Ｌに沿って被写体（物体側）に近づくＡ方向、および被写体とは反対側（像側）に近づくＢ方向の双方向に移動させる焦点位置調整機構６を有しており、概ね、第１のレンズ体１１および第２のレンズ体１２を保持した円筒状のレンズ保持体１０と、このレンズ保持体１０を光軸Ｌに沿って移動させる駆動機構５と、駆動機構５およびレンズ保持体１０が搭載された固定体３とを有している。本形態において、固定体３は、像側で撮像素子など（図示せず）を保持するベース３１と、物体側に位置するカバー３２と、カバー３２に装着されるキャップ３３とから構成されている。ここで、ベース３１とカバー３２はネジなどによって固定され、かつ、接着固定されている。
【００１６】
本形態では、詳しくは後述するが、駆動機構５をベース３１に搭載した後、レンズ保持体１０を塔載する前の状態で被写体側に向けて開口する凹部が形成されるようになっており、駆動機構５をベース３１に搭載した後、この凹部にレンズ保持体１０を挿入した後、キャップ３３を被せてレンズ駆動装置１を組み立てる。
【００１７】
（駆動機構５の構成）
駆動機構５は、円筒状のステータ５０と回転体７とを備えたＰＭ型のステッピングモータ構造を備えている。ステータ５０は、環状の駆動コイル５１を２つ備えており、２つの駆動コイル５１は各々、２枚の環状のヨーク５２の間に挟まれた状態にある。この状態で、ステータ５０の下段側および上段側のいずれにおいても、２枚のヨーク５２の極歯が周方向に交互に配置される。
【００１８】
本形態のレンズ駆動装置１の駆動機構５では、円筒状のステータ５０の内側には、レンズ保持体１０との間に円筒状の回転体７が同軸状に配置され、この回転体７は、円筒状の樹脂製のスリーブ５６と、このスリーブ５６の外周面に固着された円筒状のロータマグネット５５とを有している。ロータマグネット５５の外周面には、Ｓ極とＮ極が周方向に交互に配列され、その内周面がスリーブ５６に接着固定されている。
【００１９】
スリーブ５６は、カバー３２とベース３１との間に、光軸Ｌ方向への移動が阻止された状態で配置されている。また、スリーブ５６は、ベース３１の内端面（上面）に形成された段部の内側、およびカバー３２の段部の内側で軸線周り（光軸Ｌ）に回転可能な状態にある。従って、２つの駆動コイル５１に給電すると、ロータマグネット５５とスリーブ５６を備えた回転体７は、光軸Ｌ周りに回転することになる。ここで、スリーブ５６の内周面には、雌ネジ５７が形成されている。なお、スリーブ５６は、ＰＯＭ（ポリ  オキサイド  メチレン）、ＰＣ（ポリカーボネイト）、ＰＡ（ポリアミド）、ＡＳ（アクリルニトリル−スチレン）、ＡＢＳ（アクリロブタジエンスチロール）、ＰＥ（ポリエチレン）などの樹脂で構成されている。
【００２０】
（レンズ保持体１０の構成）
本形態のレンズ駆動装置１では、スリーブ５６の内側には、第１のレンズ体１１、第２のレンズ体１２、および絞り１３を保持した円筒状のレンズ保持体１０が同軸状に配置されている。レンズ保持体１０は、ＰＯＭ（ポリ  オキサイド  メチレン）、ＰＣ（ポリカーボネイト）、ＰＡ（ポリアミド）、ＡＳ（アクリルニトリル−スチレン）、ＡＢＳ（アクリロブタジエンスチロール）、ＰＥ（ポリエチレン）などの樹脂で構成されている。
【００２１】
レンズ保持体１０の胴部の外周面には雄ネジ１７が形成されており、レンズ保持体１０は、雄ネジ１７がスリーブ５６の雌ネジ５７に係合することにより、スリーブ５６に対して、光軸Ｌ周りに回転可能、かつ、光軸Ｌに沿って移動可能に支持されている。また、スリーブ５６の雌ネジ５７とレンズ保持体１０の雄ネジ１７とは、ロータマグネット５５の回転によってレンズ保持体１０を光軸Ｌに沿って移動させるための伝達機構を構成している。また、本形態では、レンズ保持体１０には外側に向けて突出する複数本の突起（図示せず）を光軸Ｌ方向に延びるように構成する一方、固定体３の側、例えば、キャップ３３には突起が嵌る凹部を形成しておき、これらの突起および凹部によって、レンズ保持体１０に雄ネジ１７および雌ネジ５７を介してスリーブ５６の回転力が伝達されたときにレンズ保持体１０の供回りを阻止する供回り阻止機構が構成されている。なお、供回り阻止機構を構成するにあたっては、レンズ保持体１０に溝を形成し、固定体３の方に突起を形成してもよい。また、レンズ保持体１０とキャップ３３との間には、雄ネジ１７および雌ネジ５７との間のバックラッシュを防止するためのバネ５９が配置されている。
【００２２】
このようにして、回転体７の回転をレンズ保持体１０に伝達してレンズ保持体１０を光軸Ｌに沿って移動させる変換機構６０を備えた焦点位置調整機構６が構成されている。すなわち、図１（ａ）には、第１のレンズ体１１と第２のレンズ体１２を保持したレンズ保持体１０が像側の無限遠位置にあるが、この状態で駆動コイル５１に通電して、回転体７を回転させると、この回転が雌ネジ５７および雄ネジ１７を介してレンズ保持体１０に伝達され、レンズ保持体１０は、図１（ｂ）に示すように、被写体側の至近距離位置に移動する。このようにして、レンズ保持体１０の光軸Ｌ方向の位置を至近距離位置と無限遠位置との間で調整して焦点位置調整が行われる。
【００２３】
なお、回転体７とレンズ保持体１０との間での動力の伝達には、雌ネジ５７および雄ネジ１７に代えて、カム溝と突起などを用いてもよい。
【００２４】
（ズーム機構の構成）
このように構成したレンズ駆動装置１において、第１のレンズ体１１は、レンズ保持体１０における被写体側に固定されている。これに対して、第２のレンズ体１２は、レンズ保持体１０上で光軸Ｌ方向に相対移動可能な状態にあり、本形態では、かかる第２のレンズ体１２をレンズ保持体１０上で光軸Ｌ方向に相対移動させて、第２のレンズ体１２を第１のレンズ体１１から離間した望遠位置に移動させるとともに、第２のレンズ体１２を第１のレンズ体１１に近接させた広角位置に移動させるズーム機構８が構成されている。
【００２５】
このようなズーム機構８を構成するにあたって、本形態では、第２のレンズ体１２の外周縁には、リング状のレンズ位置保持用マグネット８５が固着されており、このレンズ位置保持用マグネット８５の外周面は、レンズ保持体１０の内周面に摺動可能である。
【００２６】
また、ズーム機構８では、光軸Ｌ方向の一方側（被写体側）においてキャップ３３には、光軸Ｌ方向の他方側（撮像素子側）に向けて延びた突起からなる第１のストッパ８１（第１の送り機構）が形成されており、この第１のストッパ８１は、レンズ保持体１０の溝や孔内に位置し、その下端部はレンズ位置保持用マグネット８５の一方側端面と対峙している。また、レンズ保持体１０の内周面のうち、光軸Ｌ方向における他方側には、リング状の望遠位置保持用磁性体８６が固着されている。
【００２７】
これに対して、光軸Ｌ方向の他方側（撮像素子側）において、ベース３１には、光軸Ｌ方向の一方側に向けて延びた突起からなる第２のストッパ８２（第１の送り機構）が形成されており、その上端部はレンズ位置保持用マグネット８５の他方側端面と対峙している。また、レンズ保持体１０の内周面のうち、光軸Ｌ方向における一方側には、リング状の広角位置保持用磁性体８７が固着されている。
【００２８】
（ズーム動作）
このように構成したズーム機構８の動作を図２（ａ）、（ｂ）を参照して説明する。図２（ａ）、（ｂ）はそれぞれ、本発明を適用したレンズ駆動装置１において、至近距離位置（被写体側／物体側）で第２のレンズ体１２を広角位置から望遠位置に移動させた直後の様子を示す半断面図、および無限遠位置（撮像素子側／像側）で第２のレンズ体１２を望遠位置から広角位置に移動させる直前の様子を示す半断面図である。
【００２９】
本形態のレンズ駆動装置１において、ズーム機構８によって、例えば、図１（ｂ）に示すように、レンズが広角位置にある状態（第１のレンズ体１１に第２のレンズ体１２が近接している状態）から、図２（ａ）、（ｂ）に示すように、レンズが望遠位置にある状態（第１のレンズ体１１から第２のレンズ体１２が離間している状態）に移行させるには、駆動コイル５１に通電して、図２（ａ）に示すように、レンズ保持体１０を焦点調整範囲を超えて光軸Ｌ方向の一方側（至近距離位置／被写体側／物体側）に移動させる。その結果、第１のストッパ８１は、第２のレンズ体１２側（レンズ位置保持用マグネット８５の一方側端面）に当接し、それまでリング状の広角位置保持用磁性体８７とレンズ位置保持用マグネット８５の磁気的吸引力によって広角位置に保持されていた第２のレンズ体１２を第１のストッパ８１が第１のレンズ体１１から離間する方向に送り出す。その結果、第２のレンズ体１２は、リング状の望遠位置保持用磁性体８６とレンズ位置保持用マグネット８５の磁気的吸引力によって、第１のレンズ体１１から離間した望遠位置に保持されることになる。しかる後には、レンズ保持体１０上でレンズが望遠位置にある状態でレンズ保持体１０を無限遠位置と至近距離位置との間で移動させ、焦点位置調整を行う。
【００３０】
これに対して、ズーム機構８によって、例えば、図２（ａ）に示すように、レンズが望遠位置にある状態（第１のレンズ体１１から第２のレンズ体１２が離間している状態）から、図１（ａ）、（ｂ）に示すように、レンズが広角位置にある状態（第１のレンズ体１１に第２のレンズ体１２が近接している状態）に移行させるには、図２（ｂ）に示すように、駆動コイル５１に通電して、レンズ保持体１０を焦点調整範囲を超えて光軸Ｌ方向の他方側（無限遠位置／撮像素子側／像側）に移動させる。その結果、第２のストッパ８２は、第２のレンズ体１２側（レンズ位置保持用マグネット８５の他方側端面）に当接し、それまでリング状の望遠位置保持用磁性体８６とレンズ位置保持用マグネット８５の磁気的吸引力によって望遠位置に保持されていた第２のレンズ体１２を第２のストッパ８２が第１のレンズ体１１に接近する方向に送り出す。その結果、第２のレンズ体１２は、リング状の広角位置保持用磁性体８７とレンズ位置保持用マグネット８５の磁気的吸引力によって、第１のレンズ体１１に接近した広角位置に保持されることになる。しかる後には、レンズ保持体１０上でレンズが広角位置にある状態でレンズ保持体１０を無限遠位置と至近距離位置との間で移動させ、焦点位置調整を行う。
【００３１】
なお、レンズ駆動装置１では、それを搭載したカメラにおいて、ズームの指定を行ったとき、即座にズーム動作を行い、被写体の構図を決めている間に焦点位置調整を行う、そして、撮影開始のシャッタボタンを押したときに焦点位置を決定し、完了後に画像の取り込みを行う。但し、構図を決めているときにズームの切り替えが行われた場合には、ズーム動作の後、焦点位置調整のシーケンスに入る。なお、ズーム動作を行う際は、光学的な切り替えに加えて、電子的な補正を行えば、円滑な動作に見えることになる。
【００３２】
（本形態の主な効果）
以上説明したように、本形態では、レンズ保持体１０が焦点調整範囲を超えて光軸Ｌ方向の一方側に直線移動してきたとき、第２のレンズ体１２は、第１のストッパ８１によってレンズ保持体１０上で光軸Ｌ方向の他方側に移動して望遠位置に移動し、レンズ保持体１０が焦点調整範囲を超えて光軸Ｌ方向の他方側に直線移動してきたとき、第２のレンズ体１２は、第２のストッパ８２によってレンズ保持体１０上で光軸Ｌ方向の一方側に移動して広角位置に移動する。すなわち、レンズ保持体１０が焦点調整範囲を超えて光軸Ｌ方向の一方側に直線移動してきたとき、かかる直線移動を利用して第２のレンズ体１２を望遠位置に移動させ、レンズ保持体１０が焦点調整範囲を超えて光軸Ｌ方向の他方側に直線移動してきたとき、かかる直線移動を利用して、第２のレンズ体１２を広角位置に移動させる。従って、焦点調整動作と同様な動作をそのまま利用してズーム動作を行うことができるため、モータ機構を増やさず、かつ、大型のカム機構を搭載しなくても、焦点調整機能およびズーム機能の双方を行うことができる。それ故、焦点調整機能およびズーム機能を有するレンズ駆動装置１の小型化、軽量化、低コスト化、省電力化などを図ることができる。また、焦点調整動作およびズーム動作のいずれを行う際もレンズが回転しないので、画像の揺れや歪みなどが発生しないので、撮像した画像の品質が高い。
【００３３】
（その他の実施の形態）
上記形態では、供回り阻止機構を構成するにあたって、レンズ保持体１０には外側に向けて突出する複数本の突起（図示せず）を光軸Ｌ方向に延びるように構成する一方、キャップ３３には突起が嵌る凹部を形成したが、供回り阻止機構を構成するにあたっては、レンズ保持体１０に溝を形成し、キャップ３３の方に突起を形成してもよいので、供回り阻止機構の突起と第１のストッパ８１とを兼用してもよい。
【００３４】
上記形態では、レンズ保持体１０が焦点調整範囲を超えて光軸Ｌ方向に直線移動してきたとき、第２のレンズ体１２を光軸Ｌ方向に移動させる第１の送り機構と第２の送り機構として第１のストッパ８１および第２のストッパ８２を用いたが、レンズ保持体１０が焦点調整範囲を超えて光軸Ｌ方向に直線移動してきたとき、レバー機構を備えた第１の送り機構および第２の送り機構で第２のレンズ体１２を光軸Ｌ方向に移動させてもよい。このように構成すると、第２のレンズ体１２のストロークを任意に設定できるという利点がある。
【００３５】
上記形態では、至近距離位置で広角から望遠に切り替え、無限遠側で望遠から広角に切り替えたが、レンズ位置を変更して、至近距離位置で望遠から広角に切り替え、無限遠側で広角から望遠に切り替えるように構成してもよい。
【００３６】
上記形態では、キャップ３３に第１のストッパ８１を形成し、ベース３１に第２のストッパ８２を構成したが、１つの部材に第１のストッパ８１および第２のストッパ８２の双方を形成してもよい。
【００３７】
上記形態では、レンズ位置の保持にリング状の磁性体を用いたが、その形状についてはリング状に限定されるものではない。また、レンズ位置保持用マグネット８５や位置保持用磁性体の位置についても、レンズ保持体１０の内側に限らず、外側に配置してもよく、レンズ保持体１０自身に埋め込んでもよい。なお、レンズ位置保持には、磁気的吸引力に限らず、磁気的反発力を利用してもよく、この場合、位置保持用磁性体の間に相当する位置にマグネットを配置すればよい。望遠位置保持用磁性体８６、広角位置保持用磁性体８７は、必ずしもマグネットである必要は磁性材料ならばいずれでも良い。レンズ位置保持用マグネット８５をマグネットでない磁性材料とし、望遠位置保持用磁性体８６、広角位置保持用磁性体８７をマグネットとしても良い。
【００３８】
また、摺動部に対してベアリングボールなどを配置して摺動性を高めてもよい。なお、駆動コイル５１は、ボビンに巻回したものを用いることにより、その生産性を高めてもよく、駆動コイル５１の数やロータマグネット５５の数などについては、その数を増やすことにより、駆動効率を向上させてもよい。
【図面の簡単な説明】
【００３９】
【図１】（ａ）、（ｂ）はそれぞれ、本発明を適用したレンズ駆動装置において、レンズ保持体上でレンズが広角位置にある状態でレンズ保持体を無限遠位置（被写体側／物体側）に移動させた状態の半断面図、およびレンズ保持体上でレンズが広角位置にある状態でレンズ保持体を至近距離位置（撮像素子側／像側）に移動させた状態の半断面図である。
【図２】（ａ）、（ｂ）はそれぞれ、本発明を適用したレンズ駆動装置において、至近距離位置（被写体側／物体側）で第２のレンズ体を広角位置から望遠位置に移動させた直後の様子を示す半断面図、および無限遠位置（撮像素子側／像側）で第２のレンズ体１２を望遠位置から広角位置に移動させる直前の様子を示す半断面図である。
【符号の説明】
【００４０】
１  レンズ駆動装置
３  固定体
５  駆動機構
６  焦点位置調整機構
７  回転体
８  ズーム機構
１０  レンズ保持体
１１  第１のレンズ体
１２  第２のレンズ体
５０  ステータ
５１  駆動コイル
５６  スリーブ
５５  ロータマグネット
６０  変換機構
８１  第１のストッパ（第１の送り機構）
８２  第２の送り機構
８５  レンズ位置保持用マグネット
８６  望遠位置保持用磁性体
８７  広角位置保持用磁性体
【図１】
2006195179.tif 000003
【図２】
2006195179.tif 000004